(57)【要約】【課題】容易に変化に富んだ配光状態に切替えることができる照明器具を提供する。【解決手段】制御部４０の配光切替手段制御部４２が配光切替手段３０を制御して、所定時間に予め設定された所定の配光状態とする。そして、別の所定時間になると、配光切替手段制御部４２が配光切替手段３０を制御して、別の配光状態とするので、環境に応じた配光状態を形成することができる。この際、点灯切替制御部４３は、所定時間に所定の配光状態とする際には１種の光源２２を点灯させ、別の所定時間には別の種類の光源２３を点灯させるので、変化に富んだ配光状態に切替えることができる。【選択図】図１
2010146754.tif 000002
【特許請求の範囲】
【請求項１】
光源部と、
前記光源部を制御可能な制御部と、を有する照明器具であって、
前記光源部が種類の異なる複数個の光源を有し、
配光状態を切替える配光切替手段を有し、
前記制御部が、
前記配光切替手段を制御して所定時間に予め設定された所定の配光状態とするとともに別の所定時間になると予め設定された別の配光状態に切り替える配光切替手段制御部と、
前記所定時間で１個の前記光源を点灯し、前記別の所定時間で別の前記光源を点灯させる点灯切替制御部と、を有することを特徴とする照明器具。
【請求項２】
前記点灯切替制御部は、前記別の光源を眩しさを低減したソフト点灯させることを特徴とする請求項１記載の照明器具。
【請求項３】
前記配光切替手段が、前記光源の照射範囲を規定するルーバーと、前記ルーバーによる照射範囲を変更するルーバー駆動部を有することを特徴とする請求項１または２記載の照明器具。
【発明の詳細な説明】
【技術分野】
【０００１】
本発明は、光源による配光状態を変えることができる照明器具に関するものである。
【背景技術】
【０００２】
従来より、配光状態を変えることができる照明器具が提案されている（例えば特許文献１参照）。
図６に示すように、特許文献１に記載の照明器具１００は、照明器具本体１０１と、照明器具本体１０１に設けられた矩形状の光源１０２と、光源１０２を囲うように外側下方に対向して可動可能に設けられた４個のルーバー１０３とを有しており、各ルーバー１０３には角度を変化させる角度制御部１０４が設けられている。
そして、角度制御部１０４の制御によりルーバー１０３の角度を変化させて、明暗のコントラストを変化させている。
【特許文献１】特開２００７−２４２３４７号公報（第１図）
【発明の開示】
【発明が解決しようとする課題】
【０００３】
しかしながら、前述したような従来の照明器具１００においては、１種類の光源を用いてルーバー１０３を開閉させることにより配光状態を変えているため、配光状態の変化に乏しいという問題があった。
【０００４】
本発明は、従来の問題を解決するためになされたもので、容易に変化に富んだ配光状態に切替えることができる照明器具を提供することを目的とする。
【課題を解決するための手段】
【０００５】
本発明の照明器具は、光源部と、前記光源部を制御可能な制御部と、を有する照明器具であって、前記光源部が種類の異なる複数個の光源を有し、配光状態を切替える配光切替手段を有し、前記制御部が、前記配光切替手段を制御して所定時間に予め設定された所定の配光状態とするとともに別の所定時間になると予め設定された別の配光状態に切り替える配光切替手段制御部と、前記所定時間で１個の前記光源を点灯し、前記別の所定時間で別の前記光源を点灯させる点灯切替制御部と、を有する構成を有している。
【０００６】
この構成により、制御部の配光切替手段制御部が配光切替手段を制御して、所定時間に予め設定された所定の配光状態とする。そして、別の所定時間になると、配光切替手段制御部が配光切替手段を制御して、別の配光状態とするので、環境に応じた配光状態を形成することができる。この際、点灯切替制御部は、所定時間に所定の配光状態とする際には１種の光源を点灯させ、別の所定時間には別の種類の光源を点灯させるので、変化に富んだ配光状態に切替えることができる。
【０００７】
また、本発明の照明器具は、前記点灯切替制御部は、前記別の光源を眩しさを低減したソフト点灯させる構成を有している。
【０００８】
この構成により、点灯切替制御部の制御により別の光源を点灯させる際には、ソフト点灯を行うので、光源の眩しさを低減することができる。
【０００９】
さらに、本発明の照明器具は、前記配光切替手段が、前記光源の照射範囲を規定するルーバーと、前記ルーバーによる照射範囲を変更するルーバー駆動部を有する構成を有している。
【００１０】
この構成により、配光切替手段は、光源の照射範囲を規定するルーバーをルーバー駆動部により移動させて、光源の照射範囲を変える。
【発明の効果】
【００１１】
本発明は、制御部の配光切替手段制御部が配光切替手段を制御して、所定時間に予め設定された所定の配光状態とする。そして、別の所定時間になると、配光切替手段制御部が配光切替手段を制御して、別の配光状態とするので、環境に応じた配光状態を形成することができる。この際、点灯切替制御部は、所定時間に所定の配光状態とする際には１種の光源を点灯させ、別の所定時間には別の種類の光源を点灯させるので、変化に富んだ配光状態に切替えることができるという効果を有する照明器具を提供することができるものである。
【発明を実施するための最良の形態】
【００１２】
以下、本発明の実施形態の照明器具について、図面を用いて説明する。
図１は本発明の実施形態にかかる照明器具においてルーバーにより光を拡散する配光状態を示す側面図、図２はルーバーを下方へ移動させて光をスポット状に照射する配光状態を示す側面図、図３は制御系統を示すブロック図、図４（Ａ）は全般拡散型広角配光状態を示す説明図、図４（Ｂ）はスポット型狭角配光状態を示す説明図、図５はソフト点灯の一例を示すグラフである。
【００１３】
図１および図２に示すように、本発明の実施形態にかかる照明器具１０は、被取付部である例えば天井１１に取付けて使用することができる。
【００１４】
照明器具１０は、矩形箱状の灯体２０を有し、内部には複数種の光源を有する光源部２１が設けられている。光源部２１は、第１の光源である例えば蛍光ランプ２２と、第２の光源である例えば電球２３とを有する。蛍光ランプ２２は、円環または矩形のものを使用することができる。電球２３は、白熱電球、ハロゲン電球、ＬＥＤ電球、電球型蛍光灯、水銀灯等、種々のものを用いることができる。
【００１５】
灯体２０は、矩形の天板２０１の周囲に、４枚の側板２０２を下方に向けて有し、下方は開口している。天板２０１の上には取付金具２７が取付けられており、取付金具２７を天井１１または天井１１に取付けられている金具（図示省略）に取付けることにより、照明器具１０を天井１１に取付けるとともに、天井１１の裏から配線されている電源線（図示省略）に接続している。
【００１６】
灯体２０の内部である天板１１の下面には、電気部品を収納する収納部２４が設けられている。収納部２４には、ソケット２５１に給電して蛍光ランプ２２を点灯させる点灯装置２５、電球２３を取付けて点灯させるソケット２６等が収納されている。また、収納部２４には、制御部４０が設けられている。
【００１７】
各側板２０２の下端部には、配光状態を切替える配光切替手段として、ルーバー部３０が設けられている。ルーバー部３０は、側板２０２の下端部に回動可能に取付けられる枠体３１を有する。枠体３１には、細板からなる複数のルーバー３２が水平に設けられており、上下に回動可能となっている。灯体２０の収納部２４にはルーバー駆動部３３が設けられており、側壁２０２の内面に沿ってアーム３４が延設され、アーム３４の下端部は枠体３１の内面上端部に取付けられている連結部３５に回転可能に連結されている。
【００１８】
図３に示すように、制御部４０には、中央処理装置（ＣＰＵ）４１に接続されて、配光切替手段制御部４２、点灯切替制御部４３、タイマー４４、メモリ４５等が設けられている。配光切替手段制御部４２は、ルーバー部３０のルーバー駆動部３３を制御して、所定の配光状態とする。点灯切替制御部４３は、点灯させる光源２２、２３を切替える。タイマー４４は、所定時間を判断する。メモリ４５には、所定時間に対する所定の配光状態が記憶されている。
【００１９】
次に、配光状態の切替動作について説明する。
タイマー４４からの時間信号が所定時間になると、配光切替手段制御部４２がルーバー部３０のルーバー駆動部３３を制御するとともに、点灯切替制御部４３が光源２１、２２を制御して、メモリ４５に記憶されている予め設定された所定の配光状態となるようにする。
【００２０】
例えば、日中の所定時間に対しては、図４（Ａ）に示すような全般拡散型広角配光状態がメモリ４５に記憶されている。また、夜間の所定時間に対しては、図４（Ｂ）に示すようなスポット型狭角配光状態がメモリ４５に記憶されている。
【００２１】
従って、タイマー４４により日中の所定時間であることを検知すると、配光切替手段制御部４２は、図１に示すように、ルーバー駆動部３３でアーム３４を上昇させることにより、枠体３１の内面を引き上げて、水平まで回動させる。また、点灯切替制御部４３は１個の光源として蛍光ランプ２２を点灯させる。ルーバー３２は下方外側へ向かって傾斜しており、各ルーバー３２の間から光源部２１の光が下方外側へ拡散して照射される（図４（Ａ）参照、全般拡散広角配光）。
【００２２】
また、タイマー４４により夜間の所定時間（別の所定時間）であることを検知すると、配光切替手段制御部４２は、図２に示すように、ルーバー駆動部３３でアーム３４を下降させることにより、枠体３１を下降させて、灯体２０の側面２０２の延長上に鉛直に吊り下げる。また、点灯切替制御部４３は別の光源として電球２３を点灯させる。この状態では、各ルーバー部３０のルーバー３２は鉛直方向を向いており、閉じている（図２中破線で表示）。このため、光は下方へスポット状に照射される（図４（Ｂ）参照、スポット型狭角配光）。
【００２３】
このとき、点灯切替制御部４３は、電球２３をソフト点灯させる。例えば、図５に示すように、光源の切替時（ｔ＝０）に２０％の明るさで点灯させ、その後約１０秒かけて明るさを徐々に増して１００％まで上昇させる。
【００２４】
以上、説明した本発明の実施形態にかかる照明器具１０によれば、制御部４０の配光切替手段制御部４２がルーバー駆動部３３を制御して、所定時間に予め設定された所定の配光状態とする。そして、別の所定時間になると、配光切替手段制御部４２がルーバー駆動部３３を制御して、別の配光状態とするので、環境に応じた配光状態を形成することができる。この際、点灯切替制御部４３は、所定時間に所定の配光状態とする際には１種の光源として蛍光ランプ２２を点灯させ、別の所定時間には別の種類の光源である電球２３を点灯させるので、変化に富んだ配光状態に切替えることができる。
【００２５】
また、点灯切替制御部４３の制御により別の光源である電球２３を点灯させる際には、ソフト点灯を行うので、眩しさを低減することができ、深夜の移動による覚醒が低減する。
【００２６】
さらに、配光切替手段が、光源の照射範囲を規定するルーバー３２と、ルーバー３２による照射範囲を変更するルーバー駆動部３３を有するので、ルーバー駆動部３３によりルーバー３２を移動させて、光源の照射範囲を変えることができる。
【００２７】
なお、本発明の照明器具は、前述した実施形態に限定されるものでなく、適宜な変形，改良等が可能である。
【図面の簡単な説明】
【００２８】
【図１】本発明の実施形態にかかる照明器具においてルーバーにより光を拡散する配光状態を示す側面図
【図２】ルーバーを下方へ移動させて光をスポット状に照射する配光状態を示す側面図
【図３】制御系統を示すブロック図
【図４】（Ａ）は全般拡散型広角配光状態を示す説明図、（Ｂ）はスポット型狭角配光状態を示す説明図
【図５】ソフト点灯の一例を示すグラフ
【図６】従来の照明器具の分解斜視図
【符号の説明】
【００２９】
１０  照明器具
２１  光源部
２２  蛍光ランプ（光源）
２３  電球（光源）
３０  ルーバー部（配光切替手段）
３２  ルーバー
３３  ルーバー駆動部
４０  制御部
４２  配光切替手段制御部
４３  点灯切替制御部
【図１】
2010146754.tif 000003
【図２】
2010146754.tif 000004
【図３】
2010146754.tif 000005
【図４】
2010146754.tif 000006
【図５】
2010146754.tif 000007
【図６】
2010146754.tif 000008